(57)【要約】  選択された期間における人の鼓腸の頻度および鼓腸の各発生の持続時間を収集し、記録するためのシステムが提供される。ログエントリは人の健康状態を示す人の身体細胞シグナル伝達の測定を提供し、それによって、基礎疾患がそれらの初期段階で治療され得る。
2021502833.tif 000002
【特許請求の範囲】
【請求項１】
鼓腸の発生を検出し、記録するためのシステムであって、
着座手段の下に取り付けることができ、前記着座手段に着座しているユーザによって放出された鼓腸を受け入れるためのガス捕集装置と、
前記ガス捕集装置に接続され、前記鼓腸内の硫化水素ガスの存在を検出するように動作する硫化水素センサと、
前記硫化水素センサに接続された、選択された期間における鼓腸の発生頻度を検出するための頻度検出器と、
前記硫化水素センサに接続された、鼓腸の各発生の持続時間を検出するための持続時間検出器と、
前記頻度検出器に接続され、前記頻度検出器から、前記選択された期間内に鼓腸が発生した回数を示すイベント信号を受信するように動作する記録装置であって、前記持続時間検出器は、鼓腸の各発生の時間の長さを示す持続時間信号も前記記録装置に送る、記録装置と、
前記記録装置に接続された表示装置であって、前記表示装置および前記記録装置は、前記記録装置および前記表示装置に接続されたユーザ制御パネルによって、前記ユーザの健康状態を示す身体細胞シグナル伝達活性を表すための前記選択された記録期間における鼓腸の発生頻度および各鼓腸の発生の持続時間のエントリを表示するように動作する表示装置と、を備えるシステム。
【請求項２】
前記硫化水素センサが、前記ガス捕集装置内に配置されている、請求項１に記載のシステム。
【請求項３】
前記硫化水素センサに接続された取り外し可能な細菌カートリッジと、前記取り外し可能な細菌カートリッジに接続され、前記取り外し可能な細菌カートリッジ内の細菌の蓄積を除去するために前記細菌カートリッジが清浄化のために取り外されるべきかどうかを示すように動作する細菌チェックセンサとを含む、請求項１に記載のシステム。
【請求項４】
前記取り外し可能な細菌カートリッジに接続された活性炭フィルタと、前記活性炭フィルタに接続されたフィルタ性能センサとを含み、前記フィルタ性能センサは、鼓腸の不快な臭いを除去するための前記活性炭フィルタの動作を測定するように動作する、請求項３に記載のシステム。
【請求項５】
前記システムの出口端に配置され、前記システムを通る鼓腸の流れを増強するように動作する送風機ファンをさらに備える、請求項４に記載のシステム。
【請求項６】
前記ユーザ制御パネルは、前記システムをオンおよびオフにするように動作する、請求項５に記載のシステム。
【請求項７】
前記記録装置は鼓腸を記録するために割り当てられた複数の記録ファイルを含み、各ファイルは異なる特定の個々のユーザの鼓腸の結果を記録するために割り当てられ、前記ユーザ制御パネルは前記特定の個々のユーザの鼓腸の発生の結果を記録するために前記特定の割り当てられたファイルを選択するように動作する、請求項５に記載のシステム。
【発明の詳細な説明】
【技術分野】
【０００１】
本発明は健康状態の指標を提供するために鼓腸を検出し、記録し、検証するためのシステムに関する。それは、健康状態を監視し、潜在的な基礎疾患を早期に発見するための簡便で容易に操作される手段を提供することができる。
【背景技術】
【０００２】
ガスは、共生細菌および酵母によってヒトの胃腸管内で産生される。平均して、ヒトは１日１０〜１８回ガスまたは鼓腸を発する。鼓腸は一般に、２０〜９０％の窒素、０〜５０％の水素、１０〜３０％の酸素、０〜１０％のメタン、および硫化水素（Ｈ２Ｓ）のような非典型的なガスからなる。鼓腸内の硫化水素ガスの分子は、ヒトの健康状態を示す人体内の細胞の多数のシグナル伝達機能を運搬する。このような細胞のシグナル伝達は、ヒトの疾患に関連して、広範に研究されている。ヒト消化管中の細菌は互いに、および免疫系細胞と信号を交換することが見出されている。鼓腸における硫化水素ガスの分子シグナルは、胃腸管の細菌の交換シグナルに直接関係する。したがって、鼓腸内でガスが放出される持続時間によって表される頻度および強度を検出および記録することは、細菌細胞シグナル伝達活性の情報を提供することができ、この情報は、一般的な健康状態および／または潜在的な基礎疾患を見つけるためのさらなる医師の診察を求める必要性を示す。多くの疾患は、それらの初期段階で検出される場合、治療および治癒され得る。したがって、本システムは、可能性のある疾患の早期発見のために有効な警告を発する装置を提供する。
【発明の概要】
【０００３】
本発明の主な目的は鼓腸における硫化水素の分子シグナル伝達の活性を検出して鼓腸を検出、記録、および検証するためのシステムを提供することにより健康状態の指標を提供することである。
【０００４】
本発明の別の目的は鼓腸の頻度を検出し、記録するシステムを提供することである。
【０００５】
本発明の別の目的は、鼓腸の各発生の持続時間を検出するシステムを提供することである。
【０００６】
本発明のさらに別の目的は、鼓腸の検出の結果を表示して健康状態の視覚的指標を導出するためのシステムを提供することである。
【０００７】
簡単に述べると、このシステムは着座手段の下方に取り付けることができ、着座手段に着座しているユーザによって放出された鼓腸を受け入れるガス捕集装置を備えている。硫化水素センサはガス捕集装置に接続されるか、またはガス捕集装置内に直接配置され、鼓腸内の硫化水素ガスの存在を検出するように動作する。頻度検出器が硫化水素センサに接続され、選択された時間内にユーザによって鼓腸がどれだけ頻繁に放出されるかを検出する。持続時間検出器も硫化水素センサに接続され、鼓腸の各発生の持続時間を検出する。記録装置は頻度検出器に接続され、選択された期間内に鼓腸が発生する回数を示すイベント信号を頻度検出器から受信するように動作する。同時に、持続時間検出器は鼓腸の各発生の時間の長さを示す持続時間信号も記録装置に転送する。表示装置は記録装置に接続される。表示装置および記録装置は、選択された記録期間における鼓腸の発生頻度および各鼓腸の発生の持続時間のエントリを表示するためにユーザパネルによって動作する。ログエントリは、健康状態を示す身体細胞シグナル伝達活性、および任意の可能性のある基礎疾患を見つけるためのさらなる医学的注意の必要性を表す。
【図面の簡単な説明】
【０００８】
【図１】本発明のシステムの構成を示すブロック図である。
【発明を実施するための形態】
【０００９】
図面を参照すると、座部に座っている人によって放出された鼓腸を受け入れるため、椅子の座部領域、または便座等の下に設けることができる鼓腸捕集装置１０が示されている。鼓腸捕集装置１０は、好ましくは、頂部が開放された円錐台状のベル形、またはカップ形のケーシングを有し、下端部に誘導チューブ（conducting tube）が接続されている。鼓腸捕集装置１０は、鼓腸捕集装置１０の上側リムが椅子のシートカバーの下面に当接した状態で椅子のシートカバーの下に配置することができる。シートカバーには開口部が形成されており、椅子に座っている人が鼓腸で放出したガスが直接鼓腸捕集装置１０に入り、鼓腸捕集装置１０を満たすようになっている。鼓腸中のＨ２Ｓ（硫化水素）ガスの存在を検出するために、誘導チューブが、鼓腸を鼓腸捕集装置１０からＨ２Ｓセンサ１１に導くか、あるいはＨ２Ｓセンサ１１が、鼓腸捕集装置１０内に直接的に取り付けられてもよい。頻度検出器１２は、Ｈ２Ｓセンサ１１に接続されている。頻度検出器１２は、椅子に座っている人によって硫化水素を含むガスが放出されるたびにイベント信号を発生する。また、持続時間検出器１３は、各鼓腸の時間の長さを検出するために誘導チューブによってＨ２Ｓセンサ１１に接続される。頻度検出器１２は選択された期間内、例えば、複数の記録日にわたる２４時間の期間内に鼓腸が発生する回数を記録する記録装置１４に、イベント信号を送る。同時に、持続時間検出器１３はまた、各鼓腸の時間の長さの情報を提供するために、持続時間信号を記録装置１４に送る。
【００１０】
ユーザパネル１５は、記録装置１４およびディスプレイ１６に接続され、ユーザは当該ユーザによって選択された期間にわたる各鼓腸の頻度および持続時間の記録されたエントリを表示するように、制御パネル１５を操作することができる。ディスプレイ１６は、椅子上に配置することができる。代替的に、エントリは、記録されたデータを遠隔ディスプレイ１７に示すために無線で転送されてもよい。
【００１１】
ログエントリの印刷されたレポートはまた、ログエントリの印刷されたレポートを提供するために、記録装置１４に接続されたプリンタ（図示せず）によって生成されてもよい。
【００１２】
選択された期間にわたる鼓腸の頻度および持続時間のログエントリの組合せは、鼓腸におけるＨ２Ｓ（硫化水素）の分子シグナルを示す。
【００１３】
ディスプレイおよび／または印刷されたレポートが鼓腸における硫化水素の規則的な発生パターンを示す場合は、正常な身体細胞シグナル伝達および正常な健康状態を示し得る。ディスプレイが鼓腸における硫化水素ガスの発生の不規則なパターン、または異常に高い発生頻度、または長期間の発生を示す場合、不規則な身体細胞シグナル伝達の発生を示し得る。その結果、不規則な結果が基礎疾患によるものであるかどうかを決定するために、さらなる医師の診察および調査が必要であってもよい。
【００１４】
鼓腸のパターンは各人によって変化するので、正常なパターンは最初に、特定の選択された期間（例えば、５日間）にわたる鼓腸の発生を記録することによって確立され得る。
【００１５】
以下は、５日間にわたって記録された正常な鼓腸パターンの頻度の結果の一例である：
【００１６】
【表１】
2021502833.tif 000003
上記の例示的な記録の結果では、規則的な頻度および期間で鼓腸が発生し、医療懸念がないことを示す。
【００１７】
以下は、１日の短期間にわたる異常な鼓腸パターンを示す頻度の結果の例である：
【００１８】
【表２】
2021502833.tif 000004
上記の例示的な記録の結果では、それらは鼓腸における硫化水素ガスの検出が短期間に起こり、各発生において異常に長い持続時間を伴うことを示す。そのような記録の結果を繰り返し示すことは、それが潜在的な基礎疾患によるものであるかどうかを見出すために、さらなる医師の診察および調査を必要とする。
【００１９】
Ｈ２Ｓセンサ１１には、取り外し可能な細菌カートリッジ１８が設けられており、この取り外し可能な細菌カートリッジ１８には細菌チェックセンサ１９が接続されている。各記録セッションの後、細菌カートリッジ１８を取り外して清浄化することができ、あるいは細菌チェックセンサ１９がＨ２Ｓセンサ１１内の硫化水素分子の蓄積を検出したとき、システムの次の動作のために硫化水素センサの精度を保証するために除去可能な細菌を除去して清浄化することが必要である。
【００２０】
Ｈ２Ｓセンサ１１を通過した後の鼓腸は、取り外し可能な活性炭フィルタ２０を通って流れ、硫化水素ガスの不快な臭いを除去する。フィルタ性能センサ２１は活性炭フィルタ２０に接続されて、活性炭フィルタ２０の清浄度を検出し、活性炭フィルタ２０を取り外して清浄化すべきか交換すべきかを判定する。
【００２１】
ファンまたは送風機２２が、システムの出口端で活性炭フィルタ２０に接続されて、鼓腸がシステム全体を通って流れるのを補助する。
【００２２】
活性炭フィルタ２０を通過した後、鼓腸は無臭の清浄な空気となり、大気に汚染を引き起こすことなく大気中に放出される。
【００２３】
本発明のシステムは、通常、ユーザがユーザ制御パネル１５を操作して記録装置１４を作動させるまで動作しないので、意図しないユーザがこのシステムを装備した椅子またはトイレに座った場合には、システムは動作しない。さらに、記録装置１４は、本システムを装備した椅子または便座を使用する複数のユーザに割り当てられた複数の記録ファイルを含む。制御パネル１５は特定のユーザの鼓腸を記録するために割り当てられた記録ファイルを選択し、ディスプレイ上にその特定のユーザのログエントリを表示するように操作されてもよい。
【００２４】
本発明のシステムは、椅子または便座に後付けされるか、または一体的に組み込まれてもよく、ユーザ操作パネルは椅子の肘掛けに設けられるかまたは便座に取り付けられてもよい。
【図１】
2021502833.tif 000005
【国際調査報告】
2021502833.tif 000006
2021502833.tif 000007